(57)【要約】      （修正有）【課題】電池駆動デバイスに用いられる電源の電圧値、電流値及びそれらに基づく消費電力を、時系列データとして長期間記録し、監視を行う電源監視システムを提供する。【解決手段】電池駆動デバイスの電源状態を監視する電源監視システムであって、電池駆動デバイスの電源から供給される電圧値及び電流値を測定する測定装置２と、測定装置により測定された各値の表示を行う表示装置３とを備え、測定装置は電圧値及び電流値を所定の時間間隔で逐次検出するセンサ部２１１と、センサ部より検出された複数の各値を所定の数毎に平均値として算出し、各平均値にタイムスタンプを付与する測定値処理部２２２とを有し、表示装置は測定値処理部より逐次出力された平均値を蓄積する記憶部３２と、測定値処理部より逐次出力された平均値を時系列グラフに変換する表示形式処理部３３と、時系列グラフを可視化して逐次表示する表示部３４とを有する。【選択図】図１
2018179653.tif 000002
【特許請求の範囲】
【請求項１】
電池駆動デバイスの電源状態を監視する電源監視システムであって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有することを特徴とする、電源監視システム。
【請求項２】
前記記憶部には、前記測定値処理部より逐次出力された前記平均値が、時系列に沿って、所定の数毎にまとめて蓄積され、前記平均値及び前記タイムスタンプそれぞれについてインデックスデータが生成されることを特徴とする、請求項１に記載の電源監視システム。
【請求項３】
前記測定装置は、前記センサ部を有する第一基盤と、前記測定値処理部を有する第二基盤と、を備えることを特徴とする請求項１又は２に記載の電源監視システム。
【請求項４】
前記表示形式処理部は、前記センサ部より検出された電流値を用いて消費電力量を算出し、前記表示部に表示することを特徴とする、請求項１〜３の何れかに記載の電源監視システム。
【請求項５】
前記表示部は、電池容量入力部を備え、
前記表示形式処理部は、前記センサ部より検出された電流値及び前記電池容量入力部に入力された電池容量に基づいて、電池寿命値を算出し、前記表示部に表示することを特徴とする、請求項１〜４の何れかに記載の電源監視システム。
【請求項６】
前記センサ部より検出された電圧値及び電流値それぞれに所定の閾値を設定可能であり、検出された電圧値及び電流値それぞれが、設定した閾値以上になると警告表示が表示されることを特徴とする、請求項１〜５の何れかに記載の電源監視システム。
【請求項７】
前記センサ部より検出された電圧値及び電流値は、前記記憶部に記録データとして蓄積され、常時閲覧可能であることを特徴とする、請求項１〜６の何れかに記載の電源監視システム。
【請求項８】
前記所定の時間間隔は、自在に可変可能であることを特徴とする、請求項１〜７の何れかに記載の電源監視システム。
【請求項９】
前記所定の時間間隔は、１ｍｓであることを特徴とする、請求項１〜８の何れかに記載の電源監視システム。
【請求項１０】
電池駆動デバイスの電源状態を監視する電源監視方法であって、
電池駆動デバイスの電源から供給される電圧値及び電流値を、所定の時間間隔で逐次検出し、検出された複数の各値を所定の数毎に平均値として算出し、各平均値にタイムスタンプを付与する測定値処理工程と、
前記測定値処理工程を経て逐次出力された前記平均値の蓄積及び時系列グラフへの変換を行い、時系列グラフを可視化して逐次表示する表示形式処理工程と、を有することを特徴とする、電源監視方法。
【請求項１１】
電池駆動デバイスの電源状態を監視する電源監視装置のプログラムであって、
コンピュータを、所定の時間間隔で逐次検出された電圧値及び電流値の複数の各値を所定の数毎に平均値として算出し、タイムスタンプを付与された前記平均値を蓄積する処理と、前記平均値を時系列グラフに変換する処理と、時系列グラフを可視化して逐次表示する処理と、として機能させることを特徴とする、電源監視プログラム。
【請求項１２】
電池駆動デバイスの電源状態を監視する電源監視装置であって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有することを特徴とする、電源監視装置。
【発明の詳細な説明】
【技術分野】
【０００１】
本発明は、電池駆動デバイスの電源状態を監視するシステムに係るものである。
【背景技術】
【０００２】
近年、情報技術の急速な発展により、「ＩｏＴ」と呼ばれる概念が大きな注目を集めている。
【０００３】
「ＩｏＴ」とは「Ｉｎｔｅｒｎｅｔ  ｏｆ  Ｔｈｉｎｇｓ」＝「モノのインターネット」のことである。即ち、ＰＣやスマートフォンに限らず、世の中に存在するあらゆる「モノ」に通信機能を持たせ、インターネットを介して相互接続することで、自動認識や自動制御、遠隔計測などを行う仕組みである。
【０００４】
この「ＩｏＴ」の普及に伴い、ＳＩＧＦＯＸ（登録商標）、ＬｏＲａＷＡＮ、ＮＢ−ＩｏＴに代表されるＬＰＷＡ（Ｌｏｗ  Ｐｏｗｅｒ  Ｗｉｄｅ  Ａｒｅａ）と呼ばれる、ＩｏＴ向けの通信規格の導入が進んでおり、センサノードの数は急速に拡大していくものと考えられる。
【０００５】
センサノードのほとんどは、乾電池や太陽電池を用いて単独で動作させるものであり、小型化及び長寿命化を実現するための研究開発が進められている。このため、開発段階で、センサノードの消費電力を確認することが重要である。
【０００６】
また、近年、スマートフォン等電子機器が相次いで発火する事故が報告されており、開発段階での電源状態を、時系列データとして長期的に監視し、把握しておくことの重要性が高まっている。
【０００７】
特許文献１には、バッテリー式電子デバイスのためのエネルギー消耗割合メーター及びエネルギー消耗割合メーターを有するバッテリー式電子デバイスが掲載されている。
エネルギー消耗割合は、デバイス上で、消耗割合メーターまたはゲージの形態で表示される。ユーザーは、バッテリーの現存する電荷レベルが与えられると、表示されたエネルギー消耗割合を用いて、デバイスの推定される残りの動作時間を見積もることが可能となる。
【０００８】
特許文献２には、装置使用時の消費電力の変動を一旦記録し、その記録内容を再現することで、使用形態に応じたバッテリー容量を測定及び表示することが可能な、情報処理装置が記載されている。
ユーザーの所定の作業により消費される電力を、消費電力履歴記録媒体を用いて、時系列データとして記録する。消費電力履歴再現部により、消費電力履歴を記録したときと同様の負荷を二次電池にかけることによって、使用者の使用形態に応じた二次電池の容量を測定し、ユーザーインターフェイス部に表示する。
【０００９】
特許文献３には、家屋内の電気機器の動作状態に応じて蓄電池の使用可能時間を推測することが可能な電力管理装置が記載されている。
複数の電気機器に電力を供給し得る蓄電池と、各電気機器が消費する電力をそれぞれ測定する複数の電力測定器とを含む家屋内電力管理システムに適用され、選択された電気機器についての電力情報と蓄電池の残容量とに基づいて、蓄電池が、選択された前記電気機器に電力を供給できる使用可能時間を逐次算出し、ユーザーへの通知を行う。
【先行技術文献】
【特許文献】
【００１０】
【特許文献１】特開２００４―２９０１６号公報
【特許文献２】特開２００１―２８２４００号公報
【特許文献３】特許第６０７２４６５号公報
【発明の概要】
【発明が解決しようとする課題】
【００１１】
しかしながら、特許文献１に記載のエネルギー消耗割合メーターは、バッテリーの電圧の変化を時間の関数として測定し、バッテリーから流れる電流を測定し、エネルギー消耗割合を求める旨が記載されているものの、特に電圧値や電流値についての表示手段は記載されておらず、エネルギー消耗割合（電池寿命）を表示するのみである。
【００１２】
特許文献２に記載の情報処理装置は、消費電力の長期の監視をリアルタイムに行うのではなく、消費電力履歴の編集により、架空の長期的な消費電力履歴の作成を行うものである。
【００１３】
特許文献３に記載の電力管理装置は、任意（複数）の電気機器に用いられるものの、電池寿命の表示を行うのみである。
【００１４】
また、電圧計や電流計は、パネルメーターに瞬間的な値を表示するのみである。
さらに、オシロスコープは、短期間で容量の大きなデータを取得し、時系列データとして表示するものであり、長期間の時系列データの表示は困難である。
【００１５】
本発明は上記のような実状に鑑みてなされたものであり、電池駆動デバイスに用いられる電源の電圧値、電流値及びそれらに基づく消費電力量を、時系列データとして長期間記録し、監視を行う電源監視システムを提供することを課題とする。
【課題を解決するための手段】
【００１６】
上記課題を解決するために、本発明は、電池駆動デバイスの電源状態を監視する電源監視システムであって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有することを特徴とする。
【００１７】
本発明によれば、測定装置及び表示装置の一連の処理により、電池駆動デバイスの電源状態を実時間に沿って記録し、監視することが可能となる。
【００１８】
本発明の好ましい形態では、前記記憶部には、前記測定値処理部より逐次出力された前記平均値が、時系列に沿って、所定の数毎にまとめて蓄積され、前記平均値及び前記タイムスタンプそれぞれについてインデックスデータが生成されることを特徴とする。
このような構成により、表示装置の動作が重くなった場合であっても、表示形式処理部により処理すべきデータを高速で検索可能となり、時系列グラフを生成する上でのデータの整合性が失われず、実時間に沿った記録及び監視を長期間行うことが可能となる。
【００１９】
本発明の好ましい形態では、前記測定装置は、前記センサ部を有する第一基盤と、前記測定値処理部を有する第二基盤と、を備えていることを特徴とする。
このような構成とすることで、電圧値及び電流値の検出を行う第一基盤を、監視を行う電池駆動デバイス１の大きさや電源の種類等により、自在に設計変更することが可能となる。
【００２０】
本発明の好ましい形態では、前記表示形式処理部は、前記センサ部より検出された電流値を用いて消費電力量を算出し、前記表示部に表示することを特徴とする。
このような構成とすることで、開発者は、常に消費電力量を把握しながら、電池駆動デバイスの開発を行うことが可能となり、電池交換をせずに長期間の駆動が可能な電池駆動デバイスの開発に役立てることが可能となる。
【００２１】
本発明の好ましい形態では、前記表示部には、電池容量入力部が表示され、
前記表示形式処理部は、前記センサ部より検出された電流値及び前記電池容量入力部に入力された電池容量に基づいて、電池寿命値を算出し、前記表示部に表示することを特徴とする。
このような構成とすることで、開発者は、常に電池寿命値を把握しながら、電池駆動デバイスの開発を行うことが可能となり、電池交換をせずに長期間の駆動が可能な電池駆動デバイスの開発に役立てることが可能となる。
【００２２】
本発明の好ましい形態では、前記センサ部より検出された電圧値及び電流値それぞれに所定の閾値を設定可能であり、検出された電圧値及び電流値それぞれが、設定した閾値以上になると警告表示が表示されることを特徴とする。
このような構成とすることで、開発者は、電源の異常を即座に感知することができ、電池駆動デバイスの不良品率を低減させ、製造効率を向上させることが可能となる。
【００２３】
本発明の好ましい形態では、前記センサ部より検出された電圧値及び電流値は、前記記憶部に記録データとして記録され、常時閲覧可能であることを特徴とする。
このような構成とすることで、開発者は、表示部に表示された電池駆動デバイスの電源異常を看過した場合であっても、後に記録データを閲覧することにより、異常の有無を確認することが可能となる。
【００２４】
本発明の好ましい形態では、前記所定の時間間隔は、自在に可変可能であることを特徴とする。
このような構成により、開発者は、測定装置や表示装置の動作状況に合わせて、最適な時間間隔を設定することができ、これにより各装置の処理がスムーズに行われ、ストレスなく電源状態の監視を行うことが可能となる。
【００２５】
本発明の好ましい形態では、前記所定の時間間隔は、１ｍｓであることを特徴とする。
このような構成とすることで、各装置の処理をスムーズに行いながら、電池駆動デバイスの電源状態の監視を正確に行うことが可能となる。
【００２６】
本発明は、電池駆動デバイスの電源状態を監視する電源監視方法であって、
電池駆動デバイスの電源から供給される電圧値及び電流値を、所定の時間間隔で逐次検出し、検出された複数の各値を所定の数毎に平均値として算出し、各平均値にタイムスタンプを付与する測定値処理工程と、
前記測定値処理工程を経て逐次出力された前記平均値の蓄積及び時系列グラフへの変換を行い、時系列グラフを可視化して逐次表示する表示形式処理工程と、を有することを特徴とする。
【００２７】
本発明は、電池駆動デバイスの電源状態を監視する電源監視装置プログラムであって、
コンピュータを、所定の時間間隔で逐次検出された電圧値及び電流値の複数の各値を所定の数毎に平均値として算出し、タイムスタンプを付与された前記平均値を蓄積する処理と、前記平均値を時系列グラフに変換する処理と、時系列グラフを可視化して逐次表示する処理と、として機能させることを特徴とする。
【００２８】
本発明は、電池駆動デバイスの電源状態を監視する電源監視装置であって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値用処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有することを特徴とする。
【発明の効果】
【００２９】
本発明によれば、電池駆動デバイスに用いられる電源の電圧値、電流値及びそれらに基づく消費電力量を、時系列データとして長期間記録し、監視を行う電源監視システムを提供することができる。
【図面の簡単な説明】
【００３０】
【図１】本発明の実施形態に係る電源監視システムの概要図である。
【図２】本発明の実施形態に係る電源監視システムの表示装置が有する記憶部の概要図である。
【図３】本発明の実施形態に係る電源監視システムの表示装置が有する記憶部に格納されるデータテーブルを示すもので、（ａ）は電圧値のデータテーブル、（ｂ）は電流値のデータテーブルである。
【図４】本発明の実施形態に係る電源監視システムの表示装置が有する記憶部に格納されるデータテーブルを示すもので、（ａ）は消費電力量のデータテーブル、（ｂ）は電池寿命値のデータテーブルである。
【図５】本発明の実施形態に係る電源監視システムの表示装置が有する記憶部に格納されるインデックスデータを示すもので、（ａ）は電圧値のインデックスデータ、（ｂ）は電流値のインデックスデータ、（ｃ）はタイムスタンプのインデックスデータである。
【図６】本発明の実施形態に係る電源監視システムの表示装置が有する表示部に表示される監視画面である。
【図７】本発明の実施形態に係る電源監視システムの監視画面における閾値設定時の画面表示例である。
【発明を実施するための形態】
【００３１】
以下、図面を用いて、本発明の実施形態に関る電源監視システムについて説明する。なお、以下に示す実施形態は本発明の一例であり、本発明を以下の実施形態に限定するものではない。
【００３２】
図１において、本実施形態における、電源監視システムは、電池駆動デバイス１の電源状態を測定する測定装置２と、測定装置２により測定された電源状態を、グラフや数値として表示する可視化用ソフトウェアがインストールされた表示装置３と、を備えている。
電池駆動デバイス１は、携帯電話や、ＩｏＴで用いられる無線センサノード等が考えられる。
表示装置３は、パーソナルコンピュータ等の情報通信端末や、タッチパネルを備えたスマートフォン、タブレット端末やＰＤＡ等の携帯情報端末等が考えられる。
【００３３】
測定装置２は、第一基盤２１と第二基盤２２と、を備えている。
また、第一基盤２１は、センサ部２１１と、検出した各値を第二基盤に出力する出力部２１２と、を備えている。
センサ部２１１は、電池駆動デバイス１の電源部から供給される電圧値及び電流値それぞれを１ｍｓの間で５回逐次検出し、出力部２１２を介して、第二基盤２２に送信する。
【００３４】
第二基盤２２は、第一基盤２１より出力された各値が入力される入力部２２１と、入力された各値の処理を行う測定値処理部２２２と、測定値処理部２２２より処理された各値を、表示装置３に出力する出力部２２３と、を備えている。
測定値処理部２２２は、センサ部２１１より１ｍｓの間で逐次検出された５回分の各値の平均値の算出及びタイムスタンプの付与を行う
【００３５】
表示装置３は、第二基盤より出力された各値が入力される入力部３１と、各値が蓄積される記憶部３２と、記憶部３２に蓄積された各値の時系列グラフへの変換、消費電力量及び電池寿命値の計算等を行う表示形式処理部３３と、表示形式処理部３３より算出された各値の表示を行う表示部３４と、を備えている。
電池寿命値の計算は、後述する記録制御部４５に含まれる記録開始ボタン４５１の操作及び電池容量入力部４５２への電池容量の入力を行うことにより行われる。
【００３６】
次に、図２を用いて、記憶部３２の概要について説明する。
【００３７】
記憶部３２は、データテーブル生成部３２１と、インデックスデータ生成部３２２と、を備えている。
記憶部３２内には、第二基盤２２より出力された電圧値及び電流値が時系列に沿って蓄積される。また、各値について、データテーブル生成部３２１を用いて、所定時間毎のデータテーブルが生成され、格納される。
【００３８】
また、表示形式処理部３３より算出された消費電力量及び電池寿命値についても、時系列に沿って蓄積され、データテーブル生成部３２１を用いて、所定時間毎のデータテーブルが生成され、格納される。
【００３９】
次に、データテーブル生成部３２１により生成された電圧値及び電流値のデータテーブルに基づいて、電圧値、電流値及びタイムスタンプについてのインデックスデータが、インデックスデータ生成部３２２により生成される。
【００４０】
図３及び図４において、一分毎に生成された各データテーブルを示すが、時間は特に限定されず、十分毎や三十分毎、一時間毎であっても良い。
【００４１】
図５において、Ｂ−Ｔｒｅｅインデックスを用いたインデックスデータを示す。インデックスの種類はこれに限定されず、ビットマップやハッシュ・クラスタ等でも良い。
【００４２】
上記のようにして、インデックスデータ化された、電圧値、電流値及びタイムスタンプを元にして、表示形式処理部３３より、実時間に沿って表示すべきデータが高速で検索され、表示部３４に表示される。
【００４３】
図６は、表示部３４に表示される監視画面４である。画面中央に、電池駆動デバイス１の電源より供給される電圧値及び電流値が、実時間に沿って時系列グラフ（電圧値４１１、電流値４１２）として表示される、グラフ表示領域４１が設けられている。グラフ表示領域４１の右縦軸は電流値、左縦軸は電圧値、横軸が時間である。時系列グラフ４１１、４１２は右端から左端に向かって移動していく。
また、グラフ表示領域４１上の任意の位置を移動可能なポインタ４２を用いることで、ポインタ４２上の電圧値、電流値、時刻を表示させることができる。
【００４４】
監視画面４の上中央部には、センサ部から検出された電圧値、電流値及び消費電力量が数値として表示される。電圧値及び電流値は、グラフ表示領域４１において、時系列グラフ４１１、４１２と右縦軸が交わっている点の瞬時値が表示される。また、消費電力量は、データテーブルに基づいて、可視化用ソフトウェア起動時からの合計値として算出され、表示される。
【００４５】
監視画面４の右部には、スケール変更部４３が設けられており、右縦軸、左縦軸、横軸の個別に変更することができる。右縦軸及び左縦軸については、急に大きな値を検知した場合に、即座にスケールを大きくし、値の確認を行うことができ、また、スケールを小さくすることで、値の微妙な変化も正確に監視することができる。
【００４６】
スケール変更部４３の下部には、サンプリング間隔変更部４４が設けられており、表示装置３のＣＰＵの使用率等に応じて、時系列グラフ４１１、４１２の表示粗さを変化させることができる。
【００４７】
サンプリング間隔変更部４４の下部には、記録制御部４５が設けられており、記録制御部４５には、記録開始ボタン４５１及び電池容量入力部４５２が含まれている。
記録開始ボタン４５１を操作することで、電圧値及び電流値が、記録データとして、逐次記憶部３２に記録される。
また、記録開始ボタン４５１を操作した時刻が記録開始時刻として、記録開始ボタン４５１を操作してから経過した時間が累計時間として、画面上に表示される。
また、消費電力量が、データテーブルに基づいて、記録開始ボタン４５１を操作した時刻からの合計値として算出され、記録制御部４５に表示される。
また、電池容量入力部４５２に、監視を行っている電池駆動デバイス１の電池容量を入力することで、表示形式処理部３３により、電池駆動デバイス１の電源の電池寿命値が算出され、画面上に表示される。具体的には、まず、記録制御部４５に表示された消費電力量を累計時間で割ることで、平均電流値を算出する。次に、電池容量入力部４５２に入力された電池容量を、平均電流値で割ることで、電池寿命値が算出される。
【００４８】
スケール変更部４３とサンプリング間隔変更部４４の間には、表示データ変更部４６が設けられており、グラフ表示領域４１の表示を、時系列グラフ４１１、４１２を実時間に沿って表示する監視モードと、記憶部３２に記録された過去の記録データを閲覧する閲覧モードとに、任意に切り替えることができる。
【００４９】
監視画面４の左上部には、再開ボタン４７、一時停止ボタン４８が設けられている。例えば、電源状態に異常が発生した場合等、一時停止ボタン４８を用いて実時間に沿った表示を一時的に停止し、電圧値及び電流値の確認を行うことができる。そして、再開ボタン４７を用いることで、実時間に沿った表示を再開することができる。
【００５０】
監視画面４の右上部には、閾値設定ボタン４９が設けられている。閾値設定ボタン４９を操作することにより、図７に示すように、画面上に閾値設定画面５が表示され、電圧値及び電流値それぞれについて、閾値の設定を行うことができる。センサ部２１１が、各値に設定した閾値を超えた値を検出した場合、例えば、測定装置２に設けられたＬＥＤライトが赤く点灯する、といった警告表示が表示され、開発者に警告を行う。
【００５１】
本実施形態によれば、測定装置２及び表示装置３の一連の処理により、電池駆動デバイス１の電源状態を実時間に沿って記録し、監視することが可能となる。
【００５２】
また、電圧値、電流値及びタイムスタンプにインデックスを付与することで、表示形式処理部により処理すべきデータを高速で検索可能となり、時系列グラフ４１１、４１２を生成する上での、データの整合性が失われず、実時間に沿った記録及び監視を長期間行うことが可能となる。
【００５３】
また、測定装置２を第一基盤２１と第二基盤２２とに分けることにより、電圧値及び電流値の検出を行う第一基盤２１を、監視を行う電池駆動デバイス１の大きさや電源の種類等により、自在に設計変更することが可能となる。
【００５４】
また、センサ部２１１より検出された電圧値及び電流値を用いて消費電力量を算出し、表示部３４に表示することで、開発者は、常に消費電力量を把握しながら、電池駆動デバイス１の開発を行うことが可能となり、電池交換をせずに長期間の駆動が可能な電池駆動デバイス１の開発に役立てることができる。
【００５５】
また、センサ部２１１より検出された電流値及び前記電池容量入力部に入力された電池容量に基づいて、電池寿命値を算出し、表示部３４に表示することで、開発者は、常に電池寿命値を把握しながら、電池駆動デバイス１の開発を行うことが可能となり、電池交換をせずに長期間の駆動が可能な電池駆動デバイス１の開発に役立てることが可能となる。
【００５６】
また、閾値設定画面５を用いて閾値を設定し、検出された電圧値及び電流値それぞれが、設定した閾値以上になると警告表示が表示される構成とすることで、開発者は、電源の異常を即座に感知することができ、電池駆動デバイスの不良品率を低減させ、製造効率を向上させることが可能となる。
【００５７】
また、記録開始ボタン４５１の操作により、センサ部２１１より検出された電圧値及び電流値を、記憶部３２に記録データとして蓄積し、常時閲覧可能とすることで、開発者は、表示部３４に表示された電池駆動デバイス１の電源異常を看過した場合であっても、後に記録データを閲覧することにより、異常の有無を確認することが可能となる。
【００５８】
また、サンプリング間隔変更部４４を用いて、電圧値及び電流値の検出を行う時間間隔を変更することで、開発者は、測定装置２や表示装置３の動作状況に合わせて、最適な時間間隔を設定することができ、特に１ｍｓ間隔とすることで、各装置の処理をスムーズに行いながら、電池駆動デバイスの電源状態の監視を正確に行うことが可能となる。
【符号の説明】
【００５９】
１      電池駆動デバイス
２      測定装置
２１    第一基盤
２１１  センサ部
２１２  出力部
２２    第二基盤
２２１  入力部
２２２  測定値処理部
２２３  出力部
３      表示装置
３１    入力部
３２    記憶部
３２１  データテーブル生成部
３２２  インデックスデータ生成部
３３    表示形式処理部
３４    表示部
４      監視画面
４１    グラフ表示領域
４１１  時系列グラフ（電圧値）
４１２  時系列グラフ（電流値）
４２    ポインタ
４３    スケール変更部
４４    サンプリング間隔変更部
４５    記録制御部
４５１  記録開始ボタン
４５２  電池容量入力部
４６    表示データ変更部
４７    再開ボタン
４８    一時停止ボタン
４９    閾値設定ボタン
５      閾値設定画面
【図１】
2018179653.tif 000003
【図２】
2018179653.tif 000004
【図３】
2018179653.tif 000005
【図４】
2018179653.tif 000006
【図５】
2018179653.tif 000007
【図６】
2018179653.tif 000008
【図７】
2018179653.tif 000009
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
電池駆動デバイスの電源状態を監視する電源監視システムであって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有し、
前記表示部は、電池容量入力部を備え、
前記表示形式処理部は、前記センサ部より検出された前記電流値及び前記電池容量入力部に入力された電池容量に基づいて、電池寿命値を算出し、前記表示部に表示することを特徴とすることを特徴とする、電源監視システム。
【請求項２】
前記記憶部には、前記測定値処理部より逐次出力された前記平均値が、時系列に沿って、所定の数毎にまとめて蓄積され、前記平均値及び前記タイムスタンプそれぞれについてインデックスデータが生成されることを特徴とする、請求項１に記載の電源監視システム。
【請求項３】
前記測定装置は、前記センサ部を有する第一基盤と、前記測定値処理部を有する第二基盤と、を備えることを特徴とする請求項１又は２に記載の電源監視システム。
【請求項４】
前記表示形式処理部は、前記センサ部より検出された電流値を用いて消費電力量を算出し、前記表示部に表示することを特徴とする、請求項１〜３の何れかに記載の電源監視システム。
【請求項５】
前記センサ部より検出された電圧値及び電流値それぞれに所定の閾値を設定可能であり、検出された電圧値及び電流値それぞれが、設定した閾値以上になると警告表示が表示されることを特徴とする、請求項１〜４の何れかに記載の電源監視システム。
【請求項６】
前記センサ部より検出された電圧値及び電流値は、前記記憶部に記録データとして蓄積され、常時閲覧可能であることを特徴とする、請求項１〜５の何れかに記載の電源監視システム。
【請求項７】
前記所定の時間間隔は、自在に可変可能であることを特徴とする、請求項１〜６の何れかに記載の電源監視システム。
【請求項８】
前記所定の時間間隔は、１ｍｓであることを特徴とする、請求項１〜７の何れかに記載の電源監視システム。
【請求項９】
電池駆動デバイスの電源状態を監視する電源監視方法であって、
電池駆動デバイスの電源から供給される電圧値及び電流値を、所定の時間間隔で逐次検出し、検出された複数の各値を所定の数毎に平均値として算出し、各平均値にタイムスタンプを付与する測定値処理工程と、
前記測定値処理工程を経て逐次出力された前記平均値の蓄積及び時系列グラフへの変換を行い、時系列グラフを可視化して逐次表示する表示形式処理工程と、を有し、
前記表示形式処理工程は、検出された前記電流値及び前記電池駆動デバイスの電池容量に基づいて電池寿命値を算出し、表示部に表示する工程を含むことを特徴とする、電源監視方法。
【請求項１０】
電池駆動デバイスの電源状態を監視する電源監視装置のプログラムであって、
コンピュータを、所定の時間間隔で逐次検出された電圧値及び電流値の複数の各値を所定の数毎に平均値として算出し、タイムスタンプを付与された前記平均値を蓄積する処理と、前記平均値を時系列グラフに変換する処理と、時系列グラフを可視化して逐次表示する処理と、検出された前記電流値及び前記電池駆動デバイスの電池容量に基づいて電池寿命値を算出し、表示部に表示する処理と、として機能させることを特徴とする、電源監視プログラム。
【請求項１１】
電池駆動デバイスの電源状態を監視する電源監視装置であって、
前記電池駆動デバイスの電源から供給される電圧値及び電流値を測定する測定装置と、前記測定装置により測定された各値の表示を行う表示装置と、を備え、
前記測定装置は、電圧値及び電流値を、所定の時間間隔で逐次検出するセンサ部と、センサ部より検出された複数の各値を所定の数毎に平均値として算出し、各平均値にタイムスタンプを付与する測定値処理部と、を有し、
前記表示装置は、前記測定値処理部より逐次出力された前記平均値を蓄積する記憶部と、前記測定値処理部より逐次出力された前記平均値を時系列グラフに変換する表示形式処理部と、時系列グラフを可視化して逐次表示する表示部と、を有し、
前記表示部は、電池容量入力部を備え、
前記表示形式処理部は、前記センサ部より検出された前記電流値及び前記電池容量入力部に入力された電池容量に基づいて、電池寿命値を算出し、前記表示部に表示することを特徴とする、電源監視装置。